(57)【要約】【課題】紙箱の表面と表示板とを同一面にして同時に印刷できる表示板付紙箱および簡単に印刷表示できる表示板付紙箱の製造方法を提供するものである。【解決手段】表面に印刷表示された紙箱１ａの前面板４ａ内に折り倒し可能に形成された表示板保持体１５に一体に連設されるとともに、折り曲げて表示板保持体１５に貼着された表示板１３が、前面板４ａの手前に表示板保持体１５とともに折り倒されて形成されている表示板付紙箱。【選択図】図１
2006103756.tif 000002
【特許請求の範囲】
【請求項１】
表示板付紙箱を展開した形状であるとともに、紙箱の表面となる部分と表示板の表面とを一体に且つ同一面にして紙箱の表面となる部分と表示板の表面とに印刷表示した板紙から形成されている表示板付紙箱であって、
紙箱の前面板に折り倒し可能に形成されている表示板保持体に一体に連設されるとともに、谷折りにより表示板保持体に貼着されている表示板が、前記前面板の手前に表示板保持体とともに折り倒されて形成されていることを特徴とする表示板付紙箱。
【請求項２】
前記表示板保持体が前面板内に折り倒し可能に形成されていることを特徴とする請求項１記載の表示板付紙箱。
【請求項３】
前記表示板保持体が前面板の上辺に折り倒し可能に形成されていることを特徴とする請求項１記載の表示板付紙箱。
【請求項４】
紙箱の表面となる部分と表示板の表面とを一体に且つ同一面にした、表示板付紙箱を展開した形状の板紙を用意し、
板紙の紙箱の表面となる部分とともに、表示板の表面に印刷表示し、
紙箱の前面板に折り倒し可能に形成された表示板保持体に一体に連設されている表示板を山折りして表示板保持体に表示板を貼着し、
貼着された表示板を前面板の手前に表示板保持体とともに折り倒すことを特徴とする表示板付紙箱の製造方法。
【発明の詳細な説明】
【技術分野】
【０００１】
本発明は、食品類などの商品を収納した紙箱の前面に折り返しにより形成された表示板を備える表示板付紙箱およびその製造方法に関する。
【背景技術】
【０００２】
チョコレート、ガムなどの商品は、これらを収納した紙箱を棚において販売している。紙箱には、商品の名前や目に付きやすいように宣伝文句やカット等が表示されている。これらの表示を、紙箱の表面だけでなく、例えば、特許文献１のように紙箱の前面側に表示板を形成したものもあり、この場合、表示板は箱の前面板あるいは後面板の上縁より上に起立している。
【０００３】
図３は表示板を備えた従来の紙箱の一例を示し、（ａ）は箱の展開図で板紙の表側を示し、（ｂ）は板紙の裏側を示し、（ｃ）は箱の使用状態を示す斜視図である。
【０００４】
図３（ａ）及び（ｂ）において、板紙１は、紙箱１ａの側面板２ａ，３ａとなる第１側面部２及び第２側面部３、前面板４ａとなる前面部４、および後面板５ａとなる後面部５が点線で示す山折り線６ａを介して底面板１０ａを形成する底面部１０に一体に形成されている。前面部４および後面部５の両端には、それぞれ第１側面部２およびに第２側面部３に貼着するのり代７が形成される。
【０００５】
前面部４には、表示板１３が谷折り線６ｃを介して一体に形成されている。前面部４と表示板１３内には紙箱内の商品を見やすくする切り欠きを形成するための開口部４ｂが形成される。
【０００６】
次に紙箱の使用方法について説明する。
【０００７】
図３（ａ）に示すように、第１の印刷工程で第１側面部２、第２側面部３、前面部４、後面部５の表側に商品の名前、宣伝文句、カット等が印刷され、次いで第２の印刷工程で、図３（ｂ）に示すように、表示板１３の裏面に商品の名前等が印刷される。
【０００８】
台紙１の第１側面部２、前面部４、第２側面部３、後面部５を山折り線６ａに沿って底面部１０から起こして折り曲げた後、前面部４および後面部５の両端のり代７を第１側面部２およびに第２側面部３に貼着することにより紙箱１ａが形成される。
【０００９】
紙箱１ａを棚において商品を展示する際には、表示板１３を前面板４ａから谷折り線６ｃに沿って表側に折り倒した状態にして、商品が目にとまり易いようにする。
【特許文献１】特開２００２−１６６９２６号公報
【発明の開示】
【発明が解決しようとする課題】
【００１０】
従来の表示板付きの紙箱では、前面に折り倒す表示板の印刷面と箱の表側の印刷面が表側と裏側の両面にあるため、印刷装置に台紙を二度通して印刷しなければならない。また、印刷しやすくするために、上質紙を使用したり、表面と裏面にコーティング処理が必要となる。そのため、従来の表示板付きの紙箱は、印刷工程が複雑となるとともに、コストがかかるという欠点がある。
【００１１】
また、表示板を箱の上縁に立てた状態となる紙箱では、高さの低い棚の間に配置できない場合がある。また、箱の後面板に表示板が立てられる場合には、棚の奥になるため目に付きにくいという欠点がある。
【００１２】
そこで、本発明は、紙箱の表面と表示板を同時に印刷できる表示板付紙箱および簡単に印刷表示できる表示板付紙箱の製造方法を提供するものである。
【課題を解決するための手段】
【００１３】
本発明の表示板付紙箱は、表示板付紙箱を展開した形状であるとともに、紙箱の表面となる部分と表示板の表面とを一体に且つ同一面にして紙箱の表面となる部分と表示板の表面とに印刷表示した板紙から形成されている表示板付紙箱であって、紙箱の前面板に折り倒し可能に形成されている表示板保持体に一体に連設されるとともに、谷折りにより表示板保持体に貼着されている表示板が、前記前面板の手前に表示板保持体とともに折り倒されて形成されていることを特徴とする。
【００１４】
前記表示板保持体は前面板内に折り倒押し可能に形成したり、あるいは前面板の上辺に折り倒し可能に形成してもよい。
【００１５】
また、本発明の表示板付紙箱の製造方法は、紙箱の表面となる部分と表示板の表面とを一体に且つ同一面にした、表示板付紙箱を展開した形状の板紙を用意し、板紙の紙箱の表面となる部分とともに、表示板の表面に印刷表示し、紙箱の前面板に折り倒し可能に形成された表示板保持体に一体に連設されている表示板を山折りして表示板保持体に表示板を貼着し、貼着された表示板を前面板の手前に表示板保持体とともに折り倒すことを特徴とする。
【発明の効果】
【００１６】
本発明の紙箱の表示板は、紙箱の表面と同一面の状態で印刷できるため、印刷工程が簡単となる。
【００１７】
また、本発明の紙箱では、紙箱の表面と表示板の裏面に別々に印刷する従来の紙箱の場合に比べて、裏面にコーティング処理を施す必要がないため、板紙の処理が簡単となる。また、上質紙を使用することなく、再生紙の片面に化粧紙を貼った低廉な板紙を使用することもできる。
【００１８】
また、本発明の紙箱は、表示板が下方に傾斜した状態となり、且つ傾斜角度を調節できるので、目線に合わせることが容易になる。
【００１９】
また、本発明の紙箱は、表示板が前面板の上辺より低い位置にあるため、商品が見やすく、また、表示板を下方に傾斜した状態で紙箱を数段に積み重ねることができる。
【発明を実施するための最良の形態】
【００２０】
本発明の実施例について図を参照して説明する。
【実施例１】
【００２１】
図１（ａ）は本発明の実施例１の紙箱を展開した板紙の平面図、（ｂ）は同紙箱の斜視図である。
【００２２】
図１（ａ）及び（ｂ）において、板紙１は、紙箱１ａの側面板２ａ，３ａとなる第１側面部２及び第２側面部３、前面板４ａとなる前面部４、および後面板５ａとなる後面部５が点線で示す山折り線６ａを介して一体に形成されている。板紙１の一端の後面部５の端には、山折り線６ａを介して他端の第１側面部２の端に貼着するのり代７が形成される。
【００２３】
後面部５の一方の側には、差し込み部８を備えた蓋９ａとなる天面部９が山折り線６ａを介して一体に形成される。
【００２４】
第１側面部２、第２側面部３、前面部４及び後面部５には、天面部９と反対の側に組立により底面板１０ａを形成する分割された底面部１０がそれぞれ山折り線６ａを介して一体に形成される。
【００２５】
なお、板紙１の第１側面部２、第２側面部３、前面部４、後面部５および天面部９の表面、表示板１３の表面は、同一面であり、予め商品の名前、宣伝文句、カット等が表面のみの印刷工程により印刷表示されている。
【００２６】
第１側面部２および第２側面部３の上辺には、底面部１０と反対の側に蓋９ａを支持するための蓋支持板１１ａとなる蓋支持部１１がそれぞれ太い点線で示す切取り線６ｂを介して一体に形成される。
【００２７】
前面部４には、底面部１０と反対の側に表示板１３を形成する表示板部１２が山折り線６ａを介して一体に連設される。表示板部１２内には、表示板１３が切れ目線１４を介して支持されている。表示板１３の前面部側には山折り線６ａを介して対象に同一形状の表示板保持体１５が一体に連設されている。表示板保持体１５は、前面部４から手前に切り倒し可能となる。切れ目線１６及び谷折り線６ｃを介して前面部４に形成されている。表示板１３は製造の際に表示板保持体１５にのりで貼着される。
【００２８】
次に紙箱の製造方法について説明する。
第１側面部２、第２側面部３、前面部４、後面部５および天面部９の表面、表示板１３の表面に商品の名前、宣伝文句、カット等が印刷表示された台紙１の前面部４の裏面に山折り線６ａに沿って表示板部１２を折り返して貼着する。
【００２９】
次いで、第１側面部２、前面部４、第２側面部３、後面部５を山折り線６ａに沿って折り曲げ、底面部１０を山折り線６ａに沿って起こして底面板１０ａを形成した後、後面部５ののり代７を第１側面部２に貼着することにより紙箱１ａが形成される。形成された紙箱１ａの中に商品を詰めた後、蓋９ａを閉める。
【００３０】
商品を展示する際には、蓋９ａを開け、蓋９ａと蓋支持板１１ａを切り離す。次いで、前面板４ａの表示板保持体１５とこれに貼着されて保持されている表示板１３を手前に引くと、表示板１３は切り目線１４，１６で切り離されて谷折り線６ｃに沿って表側に折り倒されて下方に傾斜した状態となる。表示板１３の傾斜角度は、紙箱１ａが配置される高さに応じて見やすい角度に折り倒す。表示板１３の折り倒しにより前面板４ａに形成された切り欠きにより紙箱内の商品が見やすくなる。
【実施例２】
【００３１】
図２（ａ）は本発明の実施例２の紙箱を展開した板紙の平面図、（ｂ）は同紙箱の斜視図である。
【００３２】
図２（ａ）において、紙箱１ａの底面板１０ａとなる底面部１０には、側面板２ａ，３ａとなる第１側面部２及び第２側面部３が山折り線６ａを介して一体に形成され、前面板４ａとなる前面部４、および後面板５ａとなる後面部５が山折り線６ａを介して一体に形成されている。前面部４および後面部５の両端には、それぞれ第１側面部２およびに第２側面部３に貼着するのり代７が形成される。
【００３３】
また前面部４には、その上辺に表示板保持体１５が連接され、表示板１３は山折り線６ａを介して表示板保持体１５に一体に形成される。
【００３４】
なお、板紙１の第１側面部２、第２側面部３、前面部４、後面部５、表示板１３の表面は、同一面であり、予め商品の名前、宣伝文句、カット等が表面のみの印刷工程により印刷表示されている。
【００３５】
次に紙箱の製造方法について説明する。
板紙１に、表示板１３を含む同一の表面に商品の名前、宣伝文句、カット等が印刷される。表示板１３を折り曲げて表示板保持体１５に貼着する。
【００３６】
次いで、第１側面部２、前面部４、第２側面部３、後面部５を山折り線６ａに沿って底面部１０から起こし、前面部４および後面部５ののり代７を第１側面部２及び第２側面部３に貼着することにより箱が形成される。
【００３７】
商品を展示する際には前面板４ａの表示板保持体１５とこれに貼着されて保持されている表示板１３を手前に引くと、表示板１３は表示板保持体１５とともに谷折り線６ｃに沿って表側に折り曲げられて下方に傾斜した状態となる。
【図面の簡単な説明】
【００３８】
【図１】（ａ）は本発明の実施例１の紙箱を展開した板紙の平面図、（ｂ）は同紙箱の斜視図である。
【図２】（ａ）は本発明の実施例２の紙箱を展開した板紙の平面図、（ｂ）は同紙箱の斜視図である。
【図３】表示板を備えた従来の箱を示し、（ａ）は箱の表面の展開図、（ｂ）は箱の裏面の展開図、（ｃ）は箱の使用状態を示す斜視図である。
【符号の説明】
【００３９】
１：板紙
１ａ：紙箱
２：第１側面部
２ａ：側面板
３：第２側面部
３ａ：側面板
４：前面部
４ａ：前面板
４ｂ：開口部
５：後面部
５ａ：後面板
６ａ：山折り線
６ｂ：切取り線
６ｃ：谷折り線
７：のり代
８：差し込み部
９：天面部
９ａ：蓋
１０：底面部
１０ａ：底面板
１１：蓋支持部
１１ａ：蓋支持板
１２：表示板部
１３：表示板
１４：切れ目線
１５：表示板保持体
１６：切れ目線
【図１】
2006103756.tif 000003
【図２】
2006103756.tif 000004
【図３】
2006103756.tif 000005